(57)【要約】容器は物質のリザーバを備える。容器には、リザーバに結合されて物質を噴霧する能動的噴霧手段が設けられる。噴霧手段（３、４、１３、１４）は、少なくとも２つの離間した流出開口（７、８；１７、１８、１８'）を具備し、これらの開口がリザーバ（１；１１）との流体連通機構（２；１２）と連通して、物質を少なくとも２つのスプレーのビーム（Ｂ１、Ｂ２；Ｂ１１、Ｂ１１'、Ｂ１２）により周囲に噴霧できる。本発明はさらにこの種の容器用に特化されたキャップにも関する。加えて本発明はこの種容器の製造方法にも関する。
2005523211.tif 000002
【特許請求の範囲】
【請求項１】
噴霧物質のリザーバを備え、リザーバと結合されて物質を噴霧する能動的噴霧手段をさらに具備する噴霧物質の容器において、噴霧手段（３、４、１３、１４）は、少なくとも２つの離間した流出開口（７、８；１７、１８、１８'）を具備し、これらの開口がリザーバ（１；１１）との流体連通機構（２、６；１２、１６、２１）に連通して、物質を少なくとも２つの噴霧ビーム（Ｂ１、Ｂ２；Ｂ１１、Ｂ１１'、Ｂ１２）により周囲に噴霧できることを特徴とする容器。
【請求項２】
請求項１に記載の容器において、容器のリザーバ（１、１１）には、靴（Ｓ）の内部を処理する物質が充填されることを特徴とする容器。
【請求項３】
請求項１あるいは２に記載の容器において、少なくとも２つの流出開口（１８、１８'）は、それぞれのスプレービーム（Ｂ１１、Ｂ１１'）が平均してほぼ同じ噴霧方向を得るように、互いに対して相対的に配置されることを特徴とする容器。
【請求項４】
前記各請求項のいずれか１項に記載の容器において、少なくとも２つの流出開口（７、８；１７、１８）は、それぞれの噴霧ビーム（Ｂ１、Ｂ２）が実質的に異なる噴霧方向を得るように、互いに対して相対的に配置されることを特徴とする容器。
【請求項５】
前記各請求項のいずれか１項に記載の容器において、少なくとも２つの流出開口（７、８；１７、１８）は、それぞれの噴霧ビーム（Ｂ１、Ｂ２）がほぼ逆向きの噴霧方向を得るように、互いに対して相対的に配置されることを特徴とする容器。
【請求項６】
前記各請求項のいずれか１項に記載の容器において、各流出開口（１７、１８、１８'）は、使用中リザーバ（１１）から前記流体連通機構（１２、１６、２１）を介してその開口（１７、１８、１８'）へ流動する物質から噴霧ビーム（Ｂ１１、Ｂ１１'、Ｂ１２）を発生するようにされることを特徴とする容器。
【請求項７】
請求項６に記載の容器において、前記流体連通機構（１２；１６）は少なくとも２つの径路（２１）に分岐し、これらの径路にはそれぞれ下流端部に少なくとも１つの前記流出開口（１７、１８、１８'）が設けられることを特徴とする容器。
【請求項８】
請求項１乃至５のいずれか１項に記載の容器において、前記流体連通機構（２、６）には、使用中リザーバ（１）からその連通機構（２、６）を介して少なくとも２つの流出開口（７、８）へ流動する物質からスプレーを発生するスプレー形成手段が設けられることを特徴とする容器。
【請求項９】
請求項８に記載の容器において、前記流体連通機構は、スプレー形成手段により発生したスプレー（Ｋ）を集める集積室（６） を具備し、集積室（６）には前記流出開口（７、８）が設けられて、室（６）で集めたスプレーを少なくとも２つの噴霧ビーム（Ｂ１、Ｂ２）により周囲へ噴霧することを特徴とする容器。
【請求項１０】
前記各請求項のいずれか１項に記載の容器において、噴霧手段には、各流出開口（７、８）から下流方向に延びる散開した壁部（４ａ、４ｂ）が設けられることを特徴とする容器。
【請求項１１】
噴霧物質のリザーバを備え、リザーバと結合されて物質を噴霧する能動的噴霧手段をさらに具備する噴霧物質の容器において、噴霧手段には、使用中ほぼ安定的に容器（Ｈ）を支持面に、特に靴（Ｓ）の内部に載置する支持手段（４、１４、２４）が設けられることを特徴とする容器。
【請求項１２】
請求項１１に記載の容器において、容器のリザーバ（１、１１）には、靴（Ｓ） の内部を処理する物質が充填されることを特徴とする容器。
【請求項１３】
請求項１１あるいは１２に記載の容器において、使用中支持面に接する支持手段（４；１４；２４）の支持縁部の直径（Ｄ）は、少なくとも１ｃｍ、特には少なくとも２ｃｍ、より特別には少なくとも３ｃｍであることを特徴とする容器。
【請求項１４】
請求項１１乃至１３のいずれか１項に記載の容器において、噴霧手段（３、４、１３、１４；２３、２４）は少なくとも１つの流出開口（７、８、１７、１８、１８'）を具備し、これらの開口がリザーバとの流体連通機構（２；６；１２、１６、２１）と連通して、物質を少なくとも１つの噴霧ビーム（Ｂ１、Ｂ２；Ｂ１１、Ｂ１１'、Ｂ１２）により周囲に噴霧できることを特徴とする容器。
【請求項１５】
請求項１４に記載の容器において、噴霧手段には可動作用部分（２、４；１２、１４）が設けられ、第１あるいは第２の作用位置の作用部分により、前記流体連通機構（２；６；１２、１６、２１）がそれぞれ遮断または開放され、作用部分（２、４；１２、１４）は、使用中支持手段（４、１４、２４）により容器（Ｈ）を前記支持面に押しつけることで、第１の位置から第２の位置へ運ばれるようにされることを特徴とする容器。
【請求項１６】
請求項１５に記載の容器において、噴霧手段は容器（Ｈ）に連結された固定作用部分（３；１３）を具備し、固定作用部分は可動作用部分（４；１４）を第１の位置から第２の位置へ、また逆も同様に案内するようにされることを特徴とする容器。
【請求項１７】
請求項１５あるいは１６に記載の容器において、噴霧手段は噴霧手段の可動作用部分（１２、１４）にばねの力を加えるようにされたばね手段（２０）を具備し、その力の作用を受けた可動作用部分は第２の位置から第１の位置へ移動することを特徴とする容器。
【請求項１８】
前記各請求項のいずれか１項に記載の容器において、噴霧手段の少なくとも一部はキャップ（３、４；１３、１４；２３、２４）を備え、キャップ（３、４；１３、１４；２３、２４）には各前記流出開口（７、８；１７、１８、２７）が設けられることを特徴とする容器。
【請求項１９】
前記各請求項のいずれか１項に記載の容器において、容器（Ｈ）はスプレーを含むことを特徴とする容器。
【請求項２０】
請求項１８に記載の容器用に特化されたキャップ。
【請求項２１】
請求項２０に記載のキャップにおいて、キャップ（３、４；１３、１４；２３、２４）は容器（Ｈ）の周方向縁部（９；１９；２９）、特にはフランジ、に着脱自在に結合されることを特徴とするキャップ。
【請求項２２】
請求項２０あるいは２１に記載のキャップにおいて、キャップは容器（Ｈ）の流出開口（２；１２）と係合するようにされることを特徴とするキャップ。
【請求項２３】
請求項２０乃至２２に記載のキャップにおいて、キャップは容器（Ｈ）に連結された第１の部分（３；１３；２３）を備え、キャップには、第１のキャップ部分（３；１３；２３）に可動的に連結された第２の部分（４；１４；２４）が設けられることを特徴とするキャップ。
【請求項２４】
噴霧物質のリザーバを備え、能動的流出径路をさらに具備する噴霧物質の容器を製造する方法において、容器（Ｈ）には、少なくとも２つの流出開口（７、８；１７、１８）を有し流出径路（２；１２）を保護するキャップ（３、４；１３、１４）を設け、キャップの各流出径路は容器（Ｈ）の前記流出径路（２；１２）と流体連通することを特徴とする方法。
【請求項２５】
噴霧物質のリザーバを備え、能動的流出径路をさらに具備する噴霧物質の容器を製造する方法において、容器（Ｈ）には、流出径路（２；１２；２２）を保護するキャップ（３、４；１３、１４；２３）を設け、キャップには、第１の位置から第２の位置へ、また逆も同様に案内可能となるように容器（Ｈ）に連結された固定作用部分（３；１３；２３）を設けたことを特徴とする方法。
【請求項２６】
請求項１に記載の容器において、少なくとも２つの流出開口（７、８；１７、１８、２７）は断面及び／または寸法が互いに異なることを特徴とする容器。
【発明の詳細な説明】
【技術分野】
【０００１】
本発明は、噴霧物質のリザーバを備え、リザーバと結合されて物質を噴霧する能動的噴霧手段をさらに具備する噴霧物質の容器に関する。
【背景技術】
【０００２】
この種の容器は、日本特許出願第ＪＰ２５６１０１Ａ号により周知であり、靴に噴霧される加圧物質のリザーバの付いたスプレーを備えている。スプレーには、リザーバに結合した、噴霧ヘッドを有する流出径路が設けてある。使用中、物質はスプレーとしてリザーバと流出径路とから噴霧ヘッドの流出開口を介して靴へ噴霧される。物質は、例えば靴の消毒及び／または抗菌作用を実行できる。留意すべきは、噴霧（スプレー）するという用語は広義に解釈すべきで、散布する、噴霧化する、霧吹する、などの用語も包めてよい。
【発明の開示】
【発明が解決しようとする課題】
【０００３】
周知の容器の欠点は、噴霧されるスプレー、特に靴に向かって、の範囲が比較的小さいことである。その結果、使用中、容器は靴の内部の小部分にしか噴霧できず、靴の内部スペースの割合大きい部分は噴霧されずじまいである。結果として、容器を使用することの想定された効果は比較的限られてくる。その上、周知の容器では、例えば靴などの噴霧領域に物質の所望量をもたらすには、噴霧を割合長時間行わなければならない。周知の容器の別の欠点は、使用中、噴霧手段は照準を定めて周囲の所望の方向に物質を噴霧するのが割合難しいことである。従って、スプレーは多くの場合、スプレーが処理すべきこれらの周囲の部分に届かない。
【課題を解決するための手段】
【０００４】
本発明は容器の欠点を取り除く一方でその利点を維持することを考える。特に、本発明は比較的大領域に噴霧できる容器を目的とする。
このため、本発明による容器は、噴霧手段に少なくとも２つの離間した流出開口を設け、開口を容器と流体連通させて、物質を少なくとも２つの噴霧ビームにより周囲に噴霧できるようにしたことを特徴とする。
【０００５】
この容器の使用中、少なくとも２つの噴霧ビームが発生し周囲に噴霧される。その結果、噴霧手段の一度の操作中に周囲の比較的大きな部分が一時にスプレーで覆われ、例えばこれらの周囲及び／またはこれらの周囲の境界を処理できる。さらに、少なくとも２つの噴霧ビームは、多くの場合割合簡単に照準を定めることができる。なぜなら各ビームは互いに隔置された各開口から生じ、少なくとも１つのビームが見えると、その見えるビームの方向がしばしば他の各ビームの方向についてよい指標となるからである。
【０００６】
好ましくは、容器のリザーバに靴の内部を処理する物質を充填し、容器を使って簡単に物質を靴に噴霧し、その靴の内部を処理できるようにする。そうすれば靴内部の大きな部分は割合迅速に処理できる。
【０００７】
流出開口はいろいろに互いに対して相対的に配置できる。例えば、それぞれの噴霧ビームが平均してほぼ同じ噴霧方向を得るように、流出開口は互いに対して相対的に配置できる。この利点は、これにより比較的広範囲なスプレー噴霧前線が形成でき、上記の各流出開口に向い合う割合大きなスペースに物質を一時に供給できることである。さらに、各噴霧ビームが実質的に異なる噴霧方向を得て異なる領域に同時に噴霧できるように、流出開口を互いに対して相対的に配置できる。流出開口は、例えば各噴霧ビームが実質的に反対の噴霧方向を得るように、互いに対して相対的に配置できる。その結果、例えば容器を使って靴に物質を噴霧する場合、少なくとも流出開口が靴の踵部分と爪先領域の両方を標的にすれば、噴霧手段の一度の操作によりこれらの靴の部分に噴霧することができる。
【０００８】
本発明のさらなる精巧さによれば、各流出開口は、使用中リザーバから上記の流体連通を介してこの流出開口へ流動する物質から、噴霧ビームを発生するようにされる。
【０００９】
こうすることで、噴霧手段の操作中、リザーバに存在する物質は各流出開口へ流動でき、それからこの流出開口によりスプレーに変えられて噴霧ビームとして所望の領域に噴霧される。この方法により、各流出開口は互いから比較的離して配置でき、噴霧手段に比較的多数の流出開口が使用できる。比較的多数の、特に３以上の流出開口を使用することの特別な利点は、結果として比較的大きな噴霧範囲が得られることである。この方法により、さらに、比較的多量の上記の物質を比較的迅速にスプレーとして噴霧領域にもたらすことができる。上記の流体連通機構には、例えば上記の流体開口に向かって延びる枝管を設けることができる。
【００１０】
本発明の別の精巧さによれば、上記の流体連通機構には、使用中リザーバから連通機構を介して少なくとも２つの流出開口へ流動する物質からスプレーを発生するスプレー形成手段が設けられる。
【００１１】
その結果、すでにスプレー形成手段を上記の流体連通機構に、またはその近傍に定置したことをもって、容器の少なくともリザーバの圧力が比較的低い場合にも、容器は例えば適切に機能状態を維持できる。スプレー形成手段は例えば、流体連通機構にまたはその近傍に配置されるスプレーノズル、流体噴霧器、霧吹きなどを含むことができる。これらの手段により発生したスプレーは、使用中少なくとも２つの離間した流出開口へ運ばれ、少なくとも２つの関連するスプレービームにより噴霧領域に分配される。好ましくは、上記の流体連通機構に、スプレー形成手段で発生したスプレーを集める集積室を設け、集積室には上記の流体開口を設けて、集積室に集めたスプレーを少なくとも２つのスプレービームにより周囲に噴霧するようにする。集積室は発生したスプレーを簡単に集め、それを流出開口を介して大領域に分配できる。
【００１２】
本発明の特に有利な実施形態によれば、噴霧手段には、使用中容器を支持面に、特に靴の内部にほぼ安定的に載置する支持手段が設けられる。
【００１３】
これらの支持手段により、少なくとも２つのスプレービームの照準が相当簡単になる。さらに、支持手段は噴霧手段に強度を与えることができ、噴霧手段の寿命を強化する。最も有利なのは、噴霧手段に可動作用部分を設け、それぞれ第１と第２の作用位置の作用部分により上記流体連通機構をそれぞれ遮断開放させ、使用中容器を支持手段により上記の支持面に対して押しつけることにより、作用部分が第１の位置から第２の位置へ運ばれるようにする場合である。このようにして、噴霧手段の操作は支持手段を利用して簡単に実行でき、容器のユーザーは容器を支持手段により支持面に押しつけるだけである。噴霧手段には噴霧手段の上記の作用部分にばねの力を加えるようにされたばね手段を設けることができ、作用部分はばね力の作用により第２の位置から第１の位置へ簡単に動かされ、ユーザーは容器を操作したあと支持面から支持手段を動かす以外に特別な操作を行う必要はない。
【００１４】
本発明の極めて有利な精巧さによれば、噴霧手段の少なくとも一部は、上記の各流出開口を具備したキャップを構成する。
【００１５】
キャップは、例えば不測の機械的力など周囲の不都合な作用による損傷から容器の少なくとも一部を防護できる。また、キャップは上記の流出開口を備えるから、容器は比較的少ない部品で設計できる。さらに、キャップで容器の美的装飾も構成できる。
【００１６】
本発明はさらに、請求項１８に記載の容器用に特化されたキャップを提供する。このキャップは上記の利点を容器に提供する。キャップは着脱自在に容器に結合できるから、別のキャップと容易に交換できる。例えば、容器に靴処理物質を充填した際、容器で異なるタイプの靴を処理しようとするとき、各流出開口を互いに対していろいろに配置した別のキャップが良好な噴霧結果を達成し、好都合である。キャップはさらに、標準的なスプレーなど市場で入手できる標準的容器に簡単に結合するように構成でき、これらの容器に本発明の利点を付与する。このため、キャップは市場で入手できる標準的容器の流出径路と係合するように、及び／またはこれと結合するように設計できる。
【００１７】
本発明はさらに、噴霧物質のリザーバを備えかつ能動的流出径路を具備する噴霧物質の容器を製造する方法にも関する。
【００１８】
慣行から知られたこの方法は、本発明により、容器に、少なくとも２つの流出開口を有した流出径路を防護するキャップを設け、キャップの各流出開口を容器の上記流出径路に流体連通させることで特徴づけられる。
【００１９】
このようにして、容器に、流出径路を保護するキャップが簡単に設けられる。これによりキャップはさらに上記の利点を容器に提供できる。キャップは流出開口と容器の流出径路とが流体連通するように構成できる。さらに、例えば、流体チューブなどの流体連通部品を、容器の組立中にキャップの流出開口と容器の流出径路との間に挿入できる。
本発明のさらなる精巧さは従属クレームに記述される。
【実施例】
【００２０】
以下本発明を２つの模範的実施形態と図面とを参照して説明する。
図１及び２は、第１の実施形態による、靴に噴霧される物質用のほぼ円筒形のスプレーＨを示している。スプレーＨはリザーバ１を含み、図１に示した側面図でその外壁が示されている。スプレーＨは先端部に円筒形の流出径路２を具備し、径路２はスプレーＨと結合されて、軸方向に第１の作用位置から第２の作用位置へ、逆もまた同様に移動する。図１及び３にはそれぞれ、流出径路２の第１と第２の位置がそれぞれ示されている。流出径路２には、それぞれ第１と第２の作用位置で径路２をそれぞれ閉塞したり開放を維持したりするようにされた弁手段（図示せず）が設けられる。
【００２１】
図１、２に示した先端部で、スプレーＨにキャップ３が設けられ、容器Ｈの外側に突出するその先端部並びに流出径路２の少なくとも一部を保護する。キャップは流出径路２の損傷を防ぐことができる。キャップは第１の作用部分３を備え、これはスプレーＨのフランジ型周方向縁部９に固定的に結合される。キャップ３、４の第２の作用部分４は第１のキャップ作用部分３と連結され、矢印Ｑで示した方向に第１のキャップ作用部分３に対して入れ子式に摺動する。第２の作用部分４には、スプレーＨの流出径路２に対して下流に配置される円筒形のスプレー集積室６が設けられる。この集積室６に面した流出径路２の先端部２'は、使用中リザーバ１から径路２を介して集積室６へ流動する物質からスプレーを発生するようにされる。スプレーを発生するようにされた１つの流出径路２を用いることの利点は、容器Ｈの圧力が比較的低い場合でも、容器Ｈはまだスプレーを発生できることである。スプレー集積室６の円筒形の壁６ａは、流出径路２の外側に例えば糊結合により結合される。さらに、スプレー集積室６の円筒形の壁６ａには、互いに対向して配置された２つの流出開口７、８が設けられる。キャップ３、４の可動作用部分４にはさらに、各流出開口７、８の縁部から下流方向に延びる散開した壁４ａ、４ｂが設けられる。使用中、これらの壁部４ａ、４ｂは集積室６から来るスプレーを束ねることができる。
【００２２】
図３は第１の実施形態の使用法を示している。ここでは、スプレーに存在する物質は加圧されている。図３に示すように、ユーザーはスプレーＨを、支えとして働くキャップ３の作用部分４を介して、支持面として働く靴Ｓの内側に押しつける。ユーザーと靴とにより可動作用部分４に加えられる力の作用により、この作用部分４は軸方向Ｑに第１の作用位置から第２の作用位置へ移動し、流出径路２は第２の作用位置に運ばれる。結果として、流出径路２が開かれ、スプレーに存在する物質はこの径路２を介してスプレー集積室６に流動する。流出径路２はこうすることにより、図面に＋記号で示された物質のスプレーを形成する。集積室６はこのスプレーを集め、２つの流出開口７、８を介してこれをスプレービームＢ１、Ｂ２として靴Ｓに分配する。スプレービームＢ１、Ｂ２は逆向きの流出方向を持つため、ビームＢ１、Ｂ２により靴Ｓの内部の爪先と踵部の両方に噴霧することができる。使用中キャップ３、４はスプレーＨを安定に靴Ｓに載置するから、流出径路の押圧は簡単に実行でき、ビームＢ１、Ｂ２は正確に靴の内部に照準を定めることができる。
【００２３】
好ましくは、使用中靴Ｓに接する第２の作用部分４の支持縁部は、使用中良好な支えが得られるように直径Ｄを少なくとも１ｃｍ、特に少なくとも２ｃｍ、もっと特別には少なくとも３ｃｍとする。図に示すように、この実施形態で言及した支持縁部の直径Ｄは、事実上容器Ｈの外径と等しい。
【００２４】
図４及び５に示した第２の実施形態の、第１の実施形態と相違する点は、この第２の実施形態に設けられたキャップ１３、１４は、その第２の可動作用部分１４が弾性ばねリップにより、スプレーＨの縁部１９に固定的に結合された第１の作用部分に結合されることである。第２の作用部分１４には流体集積室１６が設けられ、その円筒形の壁１６Ａはスプレーの流出径路１２に結合されている。流出径路１２に対する下流で、流体集積室１６は、半径方向外方に各流出開口１７、１８、１８'に向って延びる３つの流体径路２１に分岐する。各流出開口１７、１８、１８'は、使用中リザーバ１１から開口１７、１８、１８'を介して周囲へ流動する物質から噴霧ビームを発生するようにされる。３つの流出開口のうち２つ１８、１８'は、それらの開口から生じる噴霧ビームＢ１２、Ｂ１２'が平均してほぼ同じ噴霧方向を得るように、互いに対して相対的に配置される。他の流出開口１７は、この開口により生じる噴霧ビームＢ１１が、開口１８、１８'により形成される２つのビームＢ１２、Ｂ１２'とはほぼ反対の異なる噴霧方向を得るように、これらの２つの開口１８、１８'に対して相対的に配置される。
【００２５】
図６は、第２の実施形態の使用中に、物質がリザーバ１１から流出径路１２と流体集積室１６と３つの流体径路２１とを介して、上記の流出開口１７、１８、１８'へ流動するのを示している。これらの開口１７、１８、１８'はそれから、物質を上記の３つの噴霧ビームＢ１１、Ｂ１２、Ｂ１２'として靴Ｓに分配する。ほぼ同じ噴霧方向を持つ２つのビームＢ１２、Ｂ１２'は、靴の突端の内側スペースの極めて大きい部分に噴霧できる。同時に他のビームＢ１１も靴Ｓの踵のスペースを処理できる。この第２の実施形態では、流出開口１７、１８は比較的遠く離れている。結果として、第２の作用部分１４の比較的多くのスペースが、この部分１４に流出開口を設けるのに利用できる。この第２の実施形態には、それぞれスプレーを発生するようにされた３つの流出開口が設けられるから、この実施形態により、比較的多量のスプレーが一度につくられて靴Ｓに噴霧することができる。従って靴は、例えば着用や収納にすぐにも対応できる。
【００２６】
図７は第３の実施形態を示し、この形態には、容器のスプレー手段の操作中に、使用中のスプレーＨをほぼ安定的に支持面に載置する支持キャップ２３、２４が設けられる。第３の実施形態の、図１及び２に示した第１の実施形態と異なる点は、支持キャップ２３、２４に唯一の流出開口２７が設けられ、これが、使用中スプレーＨから開口２７を介して周囲へ流動する物質から１つの噴霧ビームＢを発生するようにされることである。さらに、支持キャップ２３、２４の可動作用部分２４には、流出開口２７の縁部から下流方向に延びる散開壁部は設けられない。その代わりに、集積室２６を中心として同心に延びる可動キャップ作用部分２４の側壁２５に開口２８が設けられ、これを通って流出開口２７で発生した噴霧ビームＢは、キャップを離れて噴霧領域に達することができる。さらに、可動キャップ部分２４の軸方向の動きが容易に流出径路２２に伝達できるように、集積室２６は流出径路２２の直径に対して幾分縮小された設計となっている。
【００２７】
図８に示すように、その実施形態は図７に示してあるが、容器Ｈに存在する物質は、少なくとも噴霧ビームＢを発生させることで容易に靴Ｓに噴霧できる。容器Ｈの噴霧手段２３、２４の操作は、従って第１と第２の実施形態の操作に対応して実行される。その点で、固定されたキャップ作用部分２３は第２の可動作用部分２４の良好な案内を達成し、流出径路２２及び／または容器Ｈのその他の作用手段を損傷することなく、迅速に容器の操作を実行できる。可動キャップ部分２４の支持縁部の割合大きい直径は、操作中容器Ｈの望ましくない滑りのリスクをさらに低減する。
【００２８】
図９に示した第４の実施形態の、第３の実施形態と相違する点は、支持キャップ２３、２４に２つの異なる流出開口２７ａ、２７ｂが設けられ、これらが使用中、スプレーＨからこれらの開口２７ａ、２７ｂを介して周囲へ流動する物質からそれぞれ２つの噴霧ビームＢ、Ｂ'を発生するようにされたことである。流出開口２７ａ、２７ｂは異なる断面を持つ。従って、使用中、流出径路２２から発生した比較的多量のスプレーは大きな流出開口２７ａを離れ噴霧ビームＢとして、例えば靴Ｓの比較的大きな前部を処理する。さらに、発生したスプレーの比較的小さな部分は、使用中流出開口２７ｂを離れ噴霧ビームＢ'を介して、例えば靴Ｓの踵部分を処理する。このようにして、発生したスプレーは効果的に使われ、所望の量を所望の方向に噴霧できる。
【００２９】
本発明は明らかに記述した実施形態だけとは限らない。特許請求の範囲に記述した本発明の枠組の中でいろいろな変形が可能である。
【００３０】
例えば、各流出開口７、８、１７、１８、２７は多様に形成できる。各流出開口の断面は、例えばほぼ半円形、扇形、水平な円形、楕円形、その他の形、それらまたはこれら以外の形の組合せとすることができる。各流出開口の断面の形を選択することにより、例えば、いろいろなスプレーのイメージ及び／またはスプレーの量を持ったスプレービームを得ることができる。意外にも、立てと横方向にそれぞれ長い側面が延びる矩形の開口は、それぞれ横と立てのスプレーのパターンを発生するようにみえる。
【００３１】
加えて、各容器のいろいろな流出開口７、８、１７、１８、２７は、断面及び／または寸法を互いに異に、または同一にすることができる。
【００３２】
さらに噴霧手段には、噴霧手段の可動作用部分にばねの力を及ぼすようにされたばね手段を設けることができ、この力により作用部分は第２の作用位置から第１の作用位置へ戻される。ばね手段は、例えば容器の流出径路に連結できる。さらに、容器のキャップの可動作用部分に、このばね手段を設けることもできる。
【００３３】
加えて、容器の噴霧手段は、例えば使用中靴Ｓに容器Ｈを載置したその内側に噴霧するようにすることもできる。このため、例えば、容器キャップの第２の可動作用部分４の容器の流出径路２の向いに延びる壁に、流出開口を設けることができる。
【００３４】
噴霧手段には、流体流出連通機構２を遮断するための別の手段、例えば弁手段などを設けることができる。
加えて、容器Ｈには１以上の流出径路２、１２を設けることができる。
【００３５】
さらに、噴霧手段及び／または容器Ｈには、補助的照準手段、例えば記号、矢印などを設けることができ、これら補助的照準手段が使用中容器Ｈの照準を容易にする。このため、補助的照準手段は、例えば少なくとも１つの流出開口の位置を指示できる。
【００３６】
靴Ｓに噴霧される物質は、例えば物質を加圧するための、及び／またはそれを加圧状態に維持するための推進薬を含むことができる。さらに、物質は、例えば一定の化学物質、特に脱臭剤、粉末例えばタルカムパウダー、殺菌剤、着臭剤などを含有でき、靴の殺菌及び／または殺カビ、湿気調整及び／または放香作用を実行する。このような物質は、例えば使用する前に靴の内部に噴霧されるようにでき、物質は所望の作用を靴及び／または靴を履く足に対して実行できる。また、物質は靴に使用した後も噴霧でき、例えば、不快な汗ばんだ足の臭いを抑え及び／または靴の内底を素早く乾燥させる。
【００３７】
容器Ｈはさらに、いろいろなタイプの靴、例えば作業靴、レジャーシューズ、運動靴、ブーツ、上靴、スケート靴、木靴、あるいはいろいろなタイプの履き物を処理するのに使用できる。
【００３８】
さらに、噴霧手段の操作は、使用中容器Ｈをほぼ安定的に靴Ｓの内側に載置する働きをする上記支持手段を使用するしないに拘わらず実行できる。噴霧手段には例えば操作機構を設けることができ、ユーザーはこれにより靴Ｓに対する容器Ｈの位置とは無関係に、リザーバ１と流出開口７、８との上記連通を手で実行することができる。
【００３９】
さらに、容器はいろいろなタイプの物質をいろいろなスペースに噴霧するように特化することができる。容器は、例えば害虫と戦う殺虫剤、空気を新鮮にするエアフレシュナーなどを含有できる。
【００４０】
噴霧手段がキャップを備え、キャップには容器に結合した第１のキャップ作用部分を設け、第１のキャップ部分に対し第２のキャップ作用部分を可動的に連結すると、第１及び／または第２のキャップ作用部分に１以上の流出開口を設けることができ、これらを容器のリザーバの中身と流体連通させることができる。
【００４１】
加えて、容器は例えば次のように簡単に製造できる。すなわち、容器Ｈに流出径路２；１２；２２を保護するキャップ３、４；１３、１４；２３、２４を設け、このキャップに、容器Ｈに連結された固定作用部分３；１３；２３を設ける一方で、キャップに、固定作用部分３；１３；２３に連結された可動作用部分４；１４；２４を設けて、第１の位置から第２の位置へ、逆もまた同様に案内できるようにする。
【図面の簡単な説明】
【００４２】
【図１】本発明の第１の実施形態の部分切取側面図である。
【図２】図１に示す側面図の線ＩＩ−ＩＩに沿った断面図である。
【図３】図１及び２に示す実施形態の使用法の切取側面図である。
【図４】本発明の第２の実施形態の部分切欠側面図である。
【図５】図４に示す側面図の線Ｖ−Ｖに沿った断面図である。
【図６】図４及び５に示す第２の実施形態の使用法の切欠側面図である。
【図７】本発明の第３の実施形態の部分切欠側面図である。
【図８】図７に示す第３の実施形態の使用法の切欠側面図である。
【図９】本発明の第４の実施形態を示す図である。
【符号の説明】
【００４３】
１、１１    リザーバ
２、１２、２２    流出径路
３、４、１３、１４、２３、２４    キャップ
６、１６、２６    スプレー集積室
７、８、１７、１８、１８'、２７、２８    流出開口
９、１９、２９    フランジ型周方向縁部
Ｂ１、Ｂ２、Ｂ１１、Ｂ１２、Ｂ１２'、Ｂ  噴霧ビーム
Ｈ    スプレー
Ｓ    靴
Ｑ    軸方向
【図１】
2005523211.tif 000003
【図２】
2005523211.tif 000004
【図３】
2005523211.tif 000005
【図４】
2005523211.tif 000006
【図５】
2005523211.tif 000007
【図６】
2005523211.tif 000008
【図７】
2005523211.tif 000009
【図８】
2005523211.tif 000010
【図９】
2005523211.tif 000011
【国際調査報告】
2005523211.tif 000012
2005523211.tif 000013
2005523211.tif 000014